(57)【特許請求の範囲】
【請求項１】
複数の開閉器が納装され開閉器の操作部が前面に露出する箱体と、前記箱体の前面を覆う位置と開放する位置との間で開閉するように一端縁が前記箱体に軸着された可撓である扉体とを備え、前記扉体において前記一端縁を除く周縁には前記扉体が前記箱体の前面を覆うときに前記箱体の外側面に重複するように形成した脚片が延設され、前記箱体において前記脚片が重複する外側面には外側面の前側が後側よりも内側に落ち込むとともに前記扉体が前記箱体の前面を覆うときに前記脚片の先端面と対向する段差部が形成され、前記扉体において前記箱体に軸着される前記一端縁とは異なる部位に設けた第１の錠部材と、前記箱体の前面において第１の錠部材に対応する部位に設けた第２の錠部材とにより、前記扉体の押操作毎に施錠と解錠とを交互に繰り返す錠を構成し、前記箱体における前記段差部よりも前側の外側面であって前記錠の両側方となる部位には前記段差部よりも前側で２段階の段差を有する突台部が突設され、突台部は、前記扉体が前記箱体の前面を覆うときに前記脚片の先端面が当接する当接台と、前記扉体が前記箱体の前面を覆うときに前記脚片の内側面に重複して当接する支持壁と、前記扉体を閉じるときに前記支持壁に当接する位置まで導く斜面とを有することを特徴とする住宅用分電盤。
【請求項２】
前記扉体が前記箱体の前面を覆う状態で、前記箱体における前記段差部より後側の外側面と、前記箱体における前記脚片の外面とが同じ面上に並ぶことを特徴とする請求項１記載の住宅用分電盤。
【発明の詳細な説明】
【０００１】
【発明の属する技術分野】
本発明は、一般家庭用の住宅用分電盤に関する。
【０００２】
【従来の技術】
この種の分電盤としては、特開平６−１５３３３９号公報に記載されたものが知られている。この公報に記載された分電盤では、図９に示すように、開閉器である主幹回路遮断器および複数の分岐回路遮断器を収納した箱体１’の前面側の両側部に突出部１ａ’を形成し、両突出部１ａ’の間の領域に開閉器の操作部であるハンドル３１ａ’，３２ａ’を露出させている。また、両突出部１ａ’の間の領域を覆う位置と開放する位置との間で開閉自在となるように箱体１’に軸着された扉体２５’を備える。扉体２５’は弧状の断面を有しており、両側部に側板２５ａ’を一体に設けてある。
【０００３】
【発明が解決しようとする課題】
上述した分電盤では、扉体２５’を箱体１’の前面の中央部にのみ対応するように形成してあり、扉体２５’における軸着側の一端縁とは反対側の端縁が、箱体１’の前面を覆うように扉体２５’を閉じた状態では箱体１’の前面側に位置するから、見映えを考慮すると軸着側の一端縁とは反対側の端縁の厚みを大きくすることはできないものである。したがって、この端縁の強度を高めることができず、この端縁に反りが生じて見映えが悪くなるおそれがある。
【０００４】
本発明は上記事由に鑑みて為されたものであり、その目的は、蓋体の反りの発生を抑制した住宅用分電盤を提供することにある。
【０００５】
【課題を解決するための手段】
請求項１の発明は、複数の開閉器が納装され開閉器の操作部が前面に露出する箱体と、箱体の前面を覆う位置と開放する位置との間で開閉するように一端縁が箱体に軸着された可撓である扉体とを備え、前記扉体において前記一端縁を除く周縁には前記扉体が前記箱体の前面を覆うときに前記箱体の外側面に重複するように形成した脚片が延設され、前記箱体において前記脚片が重複する外側面には外側面の前側が後側よりも内側に落ち込むとともに前記扉体が前記箱体の前面を覆うときに前記脚片の先端面と対向する段差部が形成され、前記扉体において前記箱体に軸着される前記一端縁とは異なる部位に設けた第１の錠部材と、前記箱体の前面において第１の錠部材に対応する部位に設けた第２の錠部材とにより、前記扉体の押操作毎に施錠と解錠とを交互に繰り返す錠を構成し、前記箱体における前記段差部よりも前側の外側面であって前記錠の両側方となる部位には前記段差部よりも前側で２段階の段差を有する突台部が突設され、突台部は、前記扉体が前記箱体の前面を覆うときに前記脚片の先端面が当接する当接台と、前記扉体が前記箱体の前面を覆うときに前記脚片の内側面に重複して当接する支持壁と、前記扉体を閉じるときに前記支持壁に当接する位置まで導く斜面とを有するものである。
【０００６】
請求項２の発明は、請求項１の発明において、前記扉体が前記箱体の前面を覆う状態で、前記箱体における前記段差部より後側の外側面と、前記箱体における前記脚片の外面とが同じ面上に並ぶものである。
【０００９】
【発明の実施の形態】
本実施形態は、図１ないし図４に示すように、開閉器である１つの主幹回路遮断器３１と開閉器（分岐開閉器）である複数の分岐回路遮断器３２とを箱体１の中に配置した分電盤であって、分岐回路遮断器３２は複数設けられ、上下２列で並設してある。箱体１は合成樹脂成形品であって、矩形枠状のボディ１０と、ボディ１０の前面側（図１における右下向き面側）に結合されるカバー２０とで構成される。ボディ１０とカバー２０とは、ボディ１０の上縁に突設した組立突片４５の先端部に設けた組立フック４５ａをカバー２０の内周面に形成した組立凹所（図示せず）に係合させるとともに、カバー２０の下縁から後方に突設した組立枠片４６（図８参照）をボディ１０の下面に突設した組立突起４７に係合させることにより結合される。
【００１０】
ボディ１０は矩形枠状に形成された底板１１の外周縁の全周に亘って周壁１２が前方に突設された形状に形成され、底板１１の中央部には矩形状に開口した開口窓１３が形成される。底板１１には左右２個ずつの支持台１４ａ，１４ｂが突設されている。
【００１１】
ボディ１０に形成した左右の支持台１４ａ，１４ｂには、主幹回路遮断器３１や分岐回路遮断器３２などの内器を取り付けるための架台４０が架設される。架台４０は全体としては矩形状の平面形状をなし、四隅にそれぞれ設けた支持片４１が支持台１４ａ，１４ｂに載置されるとともに、支持台１４ａ，１４ｂに螺入される取付ねじ４２を用いてボディ１０に固定される。本実施形態では、主幹回路遮断器３１が遮断された状態でも火災報知器などへの電源を確保することができるように、主幹回路遮断器３１の電源側から電源を得る自立電源系を設けてあり、自立電源系には分岐回路遮断器３２とは別に内器としての自立回路遮断器３３が挿入される。自立回路遮断器３３は分岐回路遮断器３２と同構成を有するものであり、架台４０の左端部に取り付けられる。
【００１２】
底板１１における開口窓１３の周縁は全周に亘って前方に突出する補強突条１８を形成しており、補強突条１８により開口窓１３の周部が補強されている。つまり、比較的大面積である開口窓１３を形成しながらも、補強突条１８により剛性を保つことができる。さらに、底板１１のうち開口窓１３の上下の周縁には、左右方向に多数個の通し孔１９が等ピッチで形成される。
【００１３】
カバー２０は後端部外周面がボディ１０の周壁１２の前端部外周面にほぼ一致する保持枠２１を備え、保持枠２１には矩形状の開口部２２が形成される。カバー２０の後面には開口部２２を覆う形で複数枚のパネル２３ａ，２３ｂが取り付けられる。パネル２３ａ，２３ｂはボディ１０に収納される主幹回路遮断器３１、分岐回路遮断器３２、自立回路遮断器３３の操作部であるハンドル３１ａ，３２ａ，３３ａを露出させる窓孔２４を有している。パネル２３ａは主幹回路遮断器３１および自立回路遮断器３３に対応し、パネル２３ｂは分岐回路遮断器３２に対応する。
【００１４】
また、カバー２０は開口部２２を覆う位置と開口部２２を開放する位置との間で開閉自在となるようにカバー２０に軸着された扉体２５を備える。すなわち、カバー２０の前面上部には下部側が後退した段部５１が形成され、段部５１の近傍に設けた軸受部５２に保持された軸５３が扉体２５の背面側に設けた軸受部５４に挿通されることによって、扉体２５がカバー２０に軸着される。扉体２５は矩形状の覆い板２５ｂと、覆い板２５ｂの４つの周縁のうちカバー２０に軸着されている一端縁を除く３つの周縁から覆い板２５ｂの背面側に一体に延設された脚片２５ａとを備える。また、上述した軸受部５４は覆い板２５ｂの背面に形成されている。
【００１５】
カバー２０の周壁外周面には上部を残して段差部２６が形成され、段差部２６より前側は後側よりも内側に落ち込んでいる。ここで、扉体２５が開口部２２を覆う位置ではカバー２０の周壁外側面のうち段差部２６よりも前側の部位に脚片２５ａが重複する。つまり、扉体２５を閉じた状態では、扉体２５の脚片２５ａがカバー２０の両側面に重複する。しかも、この状態では脚片２５ａの先端面は段差部２６に対向し、箱体１の両側面および下面にはカバー２０と蓋体カバー２０と蓋体２５とがともに露出する。したがって、ボディ１０にカバー２０を結合する際にボディ１０に対するカバー２０の位置を視認して位置を合わせるのが容易であり組立作業が容易になる。なお、仮に段差部２６を形成せずカバー２０の全体を覆う脚片２５ａを設けるとすれば、カバー２０が脚片２５ａに覆われて視認しにくくなるから、ボディ１０にカバー２０を組み付ける作業に手間がかかることになる。本実施形態ではこの点が改善されているものである。
【００１６】
ところで、扉体２５が開口部２２を覆うときに、カバー２０における段差部２６よりも後側の外側面と、扉体２５の脚片２５ａの外側面とはほぼ同じ面上に並ぶように、カバー２０と扉体２５との寸法関係が設定されている。このことによって、カバー２０の周囲に段差部２６が形成されているにもかかわらず、扉体２５を閉じた状態では扉体２５の正面方向からは段差部２６が目立たず見映えがよくなる。
【００１７】
扉体２５が閉じた状態で簡単に開かないように、図５に示すように、扉体２５において軸着側の一端縁から遠い端縁の内側面には第１の錠部材であるロック突起２７が突設され、カバー２０の下端部にはロック突起２７を受ける第２の錠部材であるキャッチ２８が設けられている。つまり、ロック突起２７とキャッチ２８とにより錠が構成される。この種の錠は周知の機構であって、ロック突起２７が挿入されるとロック突起２７が抜けないようにロックし、ロック突起２７をキャッチ２８に押し込んで離すとロック突起２７のロック状態が解除されるように構成されている。つまり、ロック突起２７を設けた扉体２５の押操作毎に、ロック突起２７の両側の突部２７ａがキャッチ２８の爪２８ａに係合する施錠状態と、ロック突起２７がキャッチ２８から外れる解錠状態とを交互に繰り返すことになる。
【００１８】
また、カバー２０の下部の左右両側面には、図６および図７に示すように段差部２６よりも前側で突台部５５が突設される。突台部５５はカバー２０の側面から２段階の段差を有するように突設され、カバー２０の側面から見たときには３重の同心円を段差部２６で切り取った形状になる。突台部５５においてカバー２０の側面から最下段となる部分は円錐台の一部であって、その先端面は扉体２５を閉じたときに脚片２５ａの内側面に当接する支持壁５６として機能する。ここで、カバー２０の前端部から支持壁５６までの間が円錐台の斜面５７になっているから、扉体２５が支持壁５６に当接する位置まで滑らかに導くことができる。このように支持壁５６がカバー２０の脚片２５ａの内側面に当接することによって、カバー２０の下部が撓みにくくなり、このことによってもカバー２０の反りの発生を抑制することができる。
【００１９】
突台部５５においてカバー２０の側面から中段となる部分は円筒の一部であって、この円筒の側面、つまり支持壁５６と隣り合う面は扉体２５を閉じたときに脚片２５ａの先端面が当接する当接台５８になっている。扉体２５の脚片２５ａが当接台５８に当接した状態では扉体２５の脚片２５ａの先端面と段差部２６との間には若干の隙間が形成されるようにしてある。したがって、扉体２５を閉じている状態で、扉体２５の下部を後方に押す外力を作用させたときには、図８に示すように扉体２５の下部を撓ませることができる。上述したロック突起２７およびキャッチ２８は扉体２５の下部に設けられているから、左右一対の当接台５８を形成していることによって、ロック突起２７をキャッチ２８に押しつけることが容易になっており、ロック突起２７とキャッチ２８とからなる錠の施解錠の操作がしやすくなっている。
【００２０】
【発明の効果】
請求項１の発明は、複数の開閉器が納装され開閉器の操作部が前面に露出する箱体と、箱体の前面を覆う位置と開放する位置との間で開閉するように一端縁が箱体に軸着された可撓である扉体とを備え、扉体において一端縁を除く周縁には扉体が箱体の前面を覆うときに箱体の外側面に重複するように形成した脚片が延設され、箱体において脚片が重複する外側面には外側面の前側が後側よりも内側に落ち込むとともに前記扉体が箱体の前面を覆うときに前記脚片の先端面と対向する段差部が形成され、前記扉体において前記箱体に軸着される前記一端縁とは異なる部位に設けた第１の錠部材と、前記箱体の前面において第１の錠部材に対応する部位に設けた第２の錠部材とにより、前記扉体の押操作毎に施錠と解錠とを交互に繰り返す錠を構成し、前記箱体における前記段差部よりも前側の外側面であって前記錠の両側方となる部位には前記段差部よりも前側で２段階の段差を有する突台部が突設され、突台部は、前記扉体が前記箱体の前面を覆うときに前記脚片の先端面が当接する当接台と、前記扉体が前記箱体の前面を覆うときに前記脚片の内側面に重複して当接する支持壁と、前記扉体を閉じるときに前記支持壁に当接する位置まで導く斜面とを有するものであり、扉体が平板状ではなく周縁に脚片を延設した形状であるから、脚片が扉体の強度を高めて扉体の反りを少なくすることができるという利点がある。しかも、扉体を押圧したときに２つの当接台の間で扉体を撓ませることができ、第１の錠部材と第２の錠部材との施解錠の操作が容易になる。さらに、斜面を設けていることにより扉体を支持壁に当接する位置まで滑らかに導くことができる上に、箱体の前面を覆うように扉体を閉じた状態では扉体の周部に設けた脚片の内側面が支持壁により裏打ちされることになり、扉体を閉じた状態で扉体が反りにくくなる。
【００２１】
請求項２の発明は、請求項１の発明において、扉体が箱体の前面を覆う状態で、箱体における段差部より後側の外側面と、箱体における脚片の外面とが同じ面上に並ぶものであり、箱体の前面を覆うように扉体を閉じた状態では扉体の前面側からは段差部が目立たなくなり見映えがよい。
【図面の簡単な説明】
【図１】本発明の実施の形態を示す分解斜視図である。
【図２】同上の一部破断した正面図である。
【図３】同上の後面側の斜視図である。
【図４】同上のカバーを外した状態の正面図である。
【図５】同上の要部分解斜視図である。
【図６】同上の要部側面図である。
【図７】同上の要部断面図である。
【図８】同上の下面図である。
【図９】従来例を示す斜視図である。
【符号の説明】
１  箱体
２５  扉体
２５ａ  脚片
２６  段差部
２７  ロック突起
２８  キャッチ
３１  主幹回路遮断器
３１ａ  ハンドル
３２  分岐回路遮断器
３２ａ  ハンドル
３３  自立回路遮断器
３３ａ  ハンドル
５６  支持壁
５８  当接台
【図１】
0003651335.tif 000002
【図２】
0003651335.tif 000003
【図３】
0003651335.tif 000004
【図４】
0003651335.tif 000005
【図５】
0003651335.tif 000006
【図６】
0003651335.tif 000007
【図７】
0003651335.tif 000008
【図８】
0003651335.tif 000009
【図９】
0003651335.tif 000010